(57)【要約】【課題】複数の観点でのグルーピングを小片紙に反映させる。【解決手段】（Ｓ１）小片紙をグルーピングするための各グルーピング線の位置情報を取得し、（Ｓ２）小片紙を囲むグルーピング線を選択し、（Ｓ３）グループ数を算出し、（Ｓ４）グループ数以上の表現選択肢を含む表現パターンを選択し、（Ｓ５）グループＩＤに、選択した表現パターンの中のいずれかの表現選択肢を重複せずに割り当て、（Ｓ６）各小片紙の表現を表現選択肢に対応するように変更する。これを複数の観点について行う。【選択図】図４
2015215717.tif 000002
【特許請求の範囲】
【請求項１】
描画される複数の小片紙のそれぞれにつき、当該小片紙の位置情報を含むレコードを有する小片紙管理ＤＢと、
小片紙の表現方法を示す表現選択肢が複数含まれる表現パターンを複数有する表現パターンＤＢと、
前記複数の小片紙をグループ分けするためのグルーピング線群が複数描画された場合に前記グルーピング線群ごとに前記表現パターンＤＢから異なる表現パターンを読み出して処理を行う処理手段と
を備え、
前記処理手段は、前記各グルーピング線群について行う処理として、
前記各グルーピング線の位置情報を取得し、
前記各グルーピング線の位置情報と前記小片紙管理ＤＢにおける各小片紙の位置情報を基に、前記各小片紙につき、当該小片紙を囲むグルーピング線を選択し、
前記小片紙管理ＤＢにおける当該小片紙のレコードに対し、当該グルーピング線に対応するグループＩＤを書き込み、
前記小片紙管理ＤＢを基にグループ数を算出し、
前記表現パターンＤＢから前記グループ数以上の表現選択肢を含む表現パターンを選択し、
前記各グループＩＤに当該表現パターンの中のいずれかの表現選択肢を重複せずに割り当て、
前記描画された各小片紙の表現を当該小片紙が属するグループのグループＩＤに割り当てた表現選択肢に対応するように変更する
ことを特徴とする関係性提示装置。
【請求項２】
描画される複数の小片紙のそれぞれにつき、当該小片紙の位置情報を含むレコードを有する小片紙管理ＤＢと、
前記複数の小片紙をグループ分けするためのグルーピング線群が複数描画された場合に前記グルーピング線群ごとに異なる表現パターンを生成して処理を行う処理手段と
を備え、
前記処理手段は、前記各グルーピング線群について行う処理として、
前記各グルーピング線の位置情報を取得し、
前記各グルーピング線の位置情報と前記小片紙管理ＤＢにおける各小片紙の位置情報を基に、前記各小片紙につき、当該小片紙を囲むグルーピング線を選択し、
前記小片紙管理ＤＢにおける当該小片紙のレコードに対し、当該グルーピング線に対応するグループＩＤを書き込み、
前記小片紙管理ＤＢを基にグループ数を算出し、
前記グループ数以上の表現選択肢を含む表現パターンを生成し、
前記各グループＩＤに当該表現パターンの中のいずれかの表現選択肢を重複せずに割り当て、
前記描画された各小片紙の表現を当該小片紙が属するグループのグループＩＤに割り当てた表現選択肢に対応するように変更する
ことを特徴とする関係性提示装置。
【請求項３】
描画される複数の小片紙のそれぞれにつき、当該小片紙の位置情報を含むレコードを有する小片紙管理ＤＢと、
前記複数の小片紙をグループ分けしてなる各グループにつき、当該グループのグループＩＤ、当該グループに属する小片紙に付与されるラベルを含むレコードが生成されるグループ情報ＤＢと、
前記複数の小片紙をグループ分けするためのグルーピング線群が複数描画され当該各グルーピング線に対しラベルが組になって描画された場合に前記グルーピング線群ごとに異なる表現パターンを生成して処理を行う処理手段と
を備え、
前記処理手段は、前記各グルーピング線群について行う処理として、
前記各グルーピング線の位置情報を取得し、
前記各グルーピング線の位置情報と前記小片紙管理ＤＢにおける各小片紙の位置情報を基に、前記各小片紙につき、当該小片紙を囲むグルーピング線を選択し、
前記小片紙管理ＤＢにおける当該小片紙のレコードに対し、当該グルーピング線に対応するグループＩＤを書き込み、
前記小片紙管理ＤＢを基にグループ数を算出し、
前記各グルーピング線とで組をなすラベルの位置情報を取得し、
前記各ラベルにつき、当該ラベルの位置情報とグルーピング線の位置情報を基に、最も近いグルーピング線を選択し、当該ラベルと選択したグルーピング線に対応するグループＩＤを含むレコードを前記グループ情報ＤＢに生成し、
前記グループ情報ＤＢから全てのラベルを読み出し、当該ラベルを表現選択肢として含む表現パターンを生成し、
前記各グループＩＤに対し当該グループＩＤを含む前記グループ情報ＤＢのレコード内の表現選択肢を割り当て、
前記描画された各小片紙の表現を当該小片紙が属するグループのグループＩＤに割り当てた表現選択肢に対応するように変更する
ことを特徴とする関係性提示装置。
【請求項４】
請求項２または３記載の関係性提示装置であって、
前記関係性提示装置は、
前記表現選択肢が複数含まれる表現パターンを複数有する表現パターンＤＢを備え、
前記処理手段は、
いずれか１以上のグルーピング線群について行う処理における表現パターンの生成に代えて、前記表現パターンＤＢからグループ数以上の表現選択肢を含む表現パターンを選択する
ことを特徴とする関係性提示装置。
【請求項５】
請求項１ないし４のいずれかに記載の関係性提示装置としてコンピュータを機能させるための関係性提示プログラム。
【発明の詳細な説明】
【技術分野】
【０００１】
本発明は、複数の観点でのグルーピングを小片紙に反映させることができる関係性提示装置及び関係性提示プログラムに関する。
【背景技術】
【０００２】
複数人で新しいアイディアを創出し、各人の考えをまとめる方法として、ブレインストーミングが知られている。ブレインストーミングは、複数人が他人の意見を聞きながら、各々が思いついた意見やアイディア等の情報を発していくことで、数多くのアイディアを創出することを目的としている。
【０００３】
アイディア創出においては、情報の整理やインプットが重要である。情報の整理やインプットを効果的にする方法として、付箋やカード等の小型の紙が利用されることも多い。例えば、ブレインストーミングでは、付箋を持ち込み、思いついた意見やアイディア等の情報を発言すると同時に、これを付箋に書き込んでテーブルや壁等の参加者が見える場所にこの付箋を貼る。これにより、参加者には、聴覚及び視覚の両方から情報がインプットされ、情報が整理しやすくなり、創造が促進されることがある。
【０００４】
多くの場合、情報理解や全体把握を目的として、前述のようにアイディアや意見を全て小片紙に記入し、壁や大きな紙に貼り付けた後、類似性や関連性のある小片紙は近接するように移動させながら、線で囲むなどして、グループ化を行う。このような作業を、電子的に支援する技術もある（例えば、非特許文献１参照）。従来方法では、小片紙の位置の近接度合いや同一グループを表現する外周線によって、グループを表現している。
【先行技術文献】
【非特許文献】
【０００５】
【非特許文献１】「富士通研、付箋紙を用いたブレストの結果をデジタルペンで電子化する技術」、マイナビニュース、［2013年11月26日検索］、インターネット（URL：http://news.mynavi.jp/news/2012/03/27/057/）
【発明の概要】
【発明が解決しようとする課題】
【０００６】
通常、グルーピングは、様々な観点でのグルーピングを行うことがある。例えば、新商品のアイディアを創造しており、アイディアが記載された数多くの小片紙が生成され、その結果を整理するため、その小片紙のグルーピングを試みた状況を想定する。ターゲットは商品開発において重要なファクターであるため、まずは、商品のターゲットでグルーピングし、シニア向けの商品、子ども向けの商品、主婦向けの商品等にグループ化できた。一方で、商品に必要な技術も、重要なファクターであるため、必要な技術でもグルーピングしたいが、小片紙の位置を変えると、ターゲットによるグルーピングが分からなくなるため、移動できない。
【０００７】
上記課題に鑑み、本発明は、複数の観点でのグルーピングを小片紙に反映させることを目的とする。
【課題を解決するための手段】
【０００８】
上記の課題を解決するために、第１の本発明に係る関係性提示装置は、描画される複数の小片紙のそれぞれにつき、当該小片紙の位置情報を含むレコードを有する小片紙管理ＤＢと、小片紙の表現方法を示す表現選択肢が複数含まれる表現パターンを複数有する表現パターンＤＢと、前記複数の小片紙をグループ分けするためのグルーピング線群が複数描画された場合に前記グルーピング線群ごとに前記表現パターンＤＢから異なる表現パターンを読み出して処理を行う処理手段とを備え、前記処理手段は、前記各グルーピング線群について行う処理として、前記各グルーピング線の位置情報を取得し、前記各グルーピング線の位置情報と前記小片紙管理ＤＢにおける各小片紙の位置情報を基に、前記各小片紙につき、当該小片紙を囲むグルーピング線を選択し、前記小片紙管理ＤＢにおける当該小片紙のレコードに対し、当該グルーピング線に対応するグループＩＤを書き込み、前記小片紙管理ＤＢを基にグループ数を算出し、前記表現パターンＤＢから前記グループ数以上の表現選択肢を含む表現パターンを選択し、前記各グループＩＤに当該表現パターンの中のいずれかの表現選択肢を重複せずに割り当て、前記描画された各小片紙の表現を当該小片紙が属するグループのグループＩＤに割り当てた表現選択肢に対応するように変更することを特徴とする。
【０００９】
第２の本発明に係る関係性提示装置は、描画される複数の小片紙のそれぞれにつき、当該小片紙の位置情報を含むレコードを有する小片紙管理ＤＢと、前記複数の小片紙をグループ分けするためのグルーピング線群が複数描画された場合に前記グルーピング線群ごとに異なる表現パターンを生成して処理を行う処理手段とを備え、前記処理手段は、前記各グルーピング線群について行う処理として、前記各グルーピング線の位置情報を取得し、前記各グルーピング線の位置情報と前記小片紙管理ＤＢにおける各小片紙の位置情報を基に、前記各小片紙につき、当該小片紙を囲むグルーピング線を選択し、前記小片紙管理ＤＢにおける当該小片紙のレコードに対し、当該グルーピング線に対応するグループＩＤを書き込み、前記小片紙管理ＤＢを基にグループ数を算出し、前記グループ数以上の表現選択肢を含む表現パターンを生成し、前記各グループＩＤに当該表現パターンの中のいずれかの表現選択肢を重複せずに割り当て、前記描画された各小片紙の表現を当該小片紙が属するグループのグループＩＤに割り当てた表現選択肢に対応するように変更することを特徴とする。
【００１０】
第３の本発明に係る関係性提示装置は、描画される複数の小片紙のそれぞれにつき、当該小片紙の位置情報を含むレコードを有する小片紙管理ＤＢと、前記複数の小片紙をグループ分けしてなる各グループにつき、当該グループのグループＩＤ、当該グループに属する小片紙に付与されるラベルを含むレコードが生成されるグループ情報ＤＢと、前記複数の小片紙をグループ分けするためのグルーピング線群が複数描画され当該各グルーピング線に対しラベルが組になって描画された場合に前記グルーピング線群ごとに異なる表現パターンを生成して処理を行う処理手段とを備え、前記処理手段は、前記各グルーピング線群について行う処理として、前記各グルーピング線の位置情報を取得し、前記各グルーピング線の位置情報と前記小片紙管理ＤＢにおける各小片紙の位置情報を基に、前記各小片紙につき、当該小片紙を囲むグルーピング線を選択し、前記小片紙管理ＤＢにおける当該小片紙のレコードに対し、当該グルーピング線に対応するグループＩＤを書き込み、前記小片紙管理ＤＢを基にグループ数を算出し、前記各グルーピング線とで組をなすラベルの位置情報を取得し、前記各ラベルにつき、当該ラベルの位置情報とグルーピング線の位置情報を基に、最も近いグルーピング線を選択し、当該ラベルと選択したグルーピング線に対応するグループＩＤを含むレコードを前記グループ情報ＤＢに生成し、前記グループ情報ＤＢから全てのラベルを読み出し、当該ラベルを表現選択肢として含む表現パターンを生成し、前記各グループＩＤに対し当該グループＩＤを含む前記グループ情報ＤＢのレコード内の表現選択肢を割り当て、前記描画された各小片紙の表現を当該小片紙が属するグループのグループＩＤに割り当てた表現選択肢に対応するように変更することを特徴とする。
【発明の効果】
【００１１】
本発明の関係性提示装置によれば、複数の観点でのグルーピングを小片紙に反映させることができる。
【図面の簡単な説明】
【００１２】
【図１】第１実施形態に係る関係性提示装置のブロック図である。
【図２】図１の小片紙管理ＤＢ２１を例示する図である。
【図３】図１の表現パターンＤＢ２２を例示する図である。
【図４】図１の関係性提示装置の動作を示すフローチャートである。
【図５】表現変更前の小片紙群とグルーピング線を例示する図である。
【図６】表現変更後の小片紙群とグルーピング線を例示する図である。
【図７】複数の観点のグルーピングを同時に提示した場合の表示例を示す図である。
【図８】第２実施形態に係る関係性提示装置のブロック図である。
【図９】図８の関係性提示装置の動作を示すフローチャートである。
【図１０】図８の小片紙管理ＤＢ２１を例示する図である。
【図１１】表現変更後の小片紙群とグルーピング線を例示する図である。
【図１２】複数の観点のグルーピングを同時に提示した場合の表示例を示す図である。
【図１３】第３実施形態に係る関係性提示装置のブロック図である。
【図１４】グループ情報ＤＢ２３を例示する図である。
【図１５】図１３の関係性提示装置の動作を示すフローチャートである。
【図１６】表現変更前の小片紙群とグルーピング線とラベルを例示する図である。
【図１７】表現変更後の小片紙群とグルーピング線とラベルを例示する図である。
【図１８】複数の観点のグルーピングを同時に提示した場合の表示例を示す図である。
【発明を実施するための形態】
【００１３】
以下に、図面を用いて本発明の各実施形態に係る関係性提示装置及び関係性提示プログラムについて説明する。なお、以下の説明において、同一の構成については同一の符号を付して説明を省略する。
【００１４】
［第１実施形態］
図１は、第１実施形態に係る関係性提示装置のブロック図である。
【００１５】
関係性提示装置は、予め設定された表現パターン（外形、色、背景模様、フォント等）を多数の小片紙（小片紙群）に適用するものである。
【００１６】
関係性提示装置は、ＣＰＵ１０、記憶装置２０、入力装置３０及び出力装置４０等を有する情報処理装置である。
【００１７】
ここで、入力装置３０は、小片紙のグルーピングを示す線（以下、グルーピング線）を取得する手段である。出力装置４０は、例えば、関係性提示装置の処理結果を出力するディスプレイやプリンタであってもよいし、処理結果を出力するインターフェイスであってもよい。
【００１８】
記憶装置２０は、小片紙管理ＤＢ２１、表現パターンＤＢ２２、関係性提示プログラムＰを含む。関係性提示プログラムＰが実行されることで、ＣＰＵ１０が取得部１１、記録部１２、表現管理部１４、及び出力部１５として処理を実行する。
【００１９】
図２は、小片紙管理ＤＢ２１を例示する図である。
【００２０】
小片紙管理ＤＢ２１は、例えば、出力装置などに描画される小片紙ごとのレコードを有する。レコードは、該当の小片紙の小片紙ＩＤ、当該小片紙の位置情報（中心座標）、小片紙群を第１の観点でグループ分けするためのグルーピング線群によりグループ分けした場合において当該小片紙が属するグループのグループＩＤを書き込む第１グループＩＤ欄、小片紙群を第２の観点でグループ分けするためのグルーピング線群によりグループ分けした場合において当該小片紙が属するグループのグループＩＤを書き込む第２グループＩＤ欄、小片紙群を第３の観点でグループ分けするためのグルーピング線群によりグループ分けした場合において当該小片紙が属するグループのグループＩＤを書き込む第３グループＩＤ欄、…を含む。すなわち、レコードは、グループ分けの観点と同じ数のグループＩＤ欄を含む。
【００２１】
図２は、第１の観点でグループ分けがなされた後の状態、つまり、第１グループＩＤ欄にグループＩＤが含まれ、他のグループＩＤ欄にはグループＩＤが含まない小片紙管理ＤＢ２１を示している。
【００２２】
図３は、表現パターンＤＢ２２を例示する図である。
【００２３】
表現パターンＤＢ２２は、小片紙の表現方法を示す表現選択肢が複数含まれる表現パターンを複数有する。各表現パターンは、表現パターン名、当該表現パターンで使用される複数の表現選択肢、表現選択肢数を含む。例えば、表現パターン名「背景模様」の表現パターンは、同じグループの小片紙を同じ背景模様で表現する場合に用いられるものであり、表現パターン名「形」の表現パターンは、同じグループの小片紙を同じ形で表現する場合に用いられるものであり、表現パターン名「色」の表現パターンは、同じグループの小片紙を同じ色で表現する場合に用いられるものであり、表現パターン名「マーク」の表現パターンは、同じグループの小片紙を同じマークで表現する場合に用いられるものであり、表現パターン名「外周線」の表現パターンは、同じグループの小片紙を同じ外周線で表現する場合に用いられるものである。
【００２４】
図４は、関係性提示装置の動作を示すフローチャートである。
【００２５】
図は、１つのグルーピング線群についての処理のフローチャートであり、関係性提示装置は、同様の処理を他のグルーピング線群についても行う。
【００２６】
ここでは、図５のように描画された小片紙群に対し、該当のグルーピング線群を構成する複数のグルーピング線Ｄ１が描画されていることとする。
【００２７】
（Ｓ１）図４において、まず、入力装置３０は各グルーピング線を取得し、取得部１１は入力装置３０から各グルーピング線を取得し、それぞれの位置情報を取得する。
【００２８】
（Ｓ２）記録部１２は、各グルーピング線の位置情報と小片紙管理ＤＢ２１における各小片紙の位置情報とを基に、各小片紙につき、当該小片紙を囲むグルーピング線を選択し、小片紙管理ＤＢ２１における当該小片紙のレコードの第１グループＩＤ欄に対し、当該グルーピング線に対応するグループＩＤを書き込む。図２は、この状態を示している。
【００２９】
例えば、小片紙ＩＤ「１」の小片紙の位置情報は「１２３，１００」であり、第１グループＩＤ欄にはグループＩＤ「１」が記録され、同一のグルーピング線内に位置する他の小片紙（小片紙ＩＤ「４」，「６」）も、グループＩＤ「１」のグループに所属すると記録されている。
【００３０】
（Ｓ３）次に、記録部１２が小片紙管理ＤＢ２１を基にグループ数を算出する。
【００３１】
（Ｓ４）次に、表現管理部１４は、そのグループ数以上の表現選択肢を含む表現パターンを表現パターンＤＢ２２から選択する。
【００３２】
図３では、第１グループＩＤ欄にグループＩＤ「１」〜「５」が書き込まれており、これによりグループ数は「５」であり、表現管理部１４は、表現パターンＤＢ２２から、表現選択肢数が５以上の表現パターン（表現パターン名「形」の表現パターン）を選択する。表現選択肢数がグループ数以上の表現パターンが複数ある場合の選択の方法は、如何なる方法でもよいが、本例では、最小の表現選択肢数の表現パターンを選択した。
【００３３】
（Ｓ５）次に、表現管理部１４は、各グループＩＤに、選択した表現パターンの中のいずれかの表現選択肢を重複せずに割り当てる。
【００３４】
（Ｓ６）次に、出力部１５が、各小片紙の表現を、当該小片紙が属するグループのグループＩＤに割り当てた表現選択肢に対応するように変更し、出力装置４０に出力し、処理を終える。
【００３５】
図６は、表現変更後の小片紙群とグルーピング線を例示する図である。
【００３６】
左の小片紙群では、各小片紙の形が長円形に変更され、右上の小片紙群では、各小片紙の形が五角形に変更され、右下の小片紙群では、各小片紙の形は長方形のままとなっている。
【００３７】
このような１つの観点によるグルーピングに関する処理を他の観点によるグルーピングについても行い、各観点で表現パターンを相違させる（使用済みの表現パターンは使用しない）ことで、複数の観点のグルーピングを同時に提示できる。
【００３８】
図７は、複数の観点のグルーピングを同時に提示した場合の表示例を示す図である。
【００３９】
小片紙群を第１の観点で、つまり第１のグルーピング線群Ｄ１、Ｄ１、Ｄ１によりグループ分けし、かつ、小片紙群を第２の観点で、つまり第２のグルーピング線群Ｄ２、Ｄ２、Ｄ２によりグループ分けする。
【００４０】
第１の観点のグルーピングにより、小片紙Ｐ１〜Ｐ３は青、小片紙Ｐ４〜Ｐ７は赤、小片紙Ｐ８〜Ｐ１１は緑で表示される。
【００４１】
第２の観点のグルーピングにより、小片紙Ｐ１、Ｐ２、Ｐ７は五角形、小片紙Ｐ３、Ｐ４、Ｐ８、Ｐ９は長円形、小片紙Ｐ５、Ｐ６、Ｐ１０、Ｐ１１は四角形で表示される。
【００４２】
以上のように、第１実施形態に係る関係性提示装置によれば、描画される複数の小片紙のそれぞれにつき、当該小片紙の位置情報を含むレコードを有する小片紙管理ＤＢ２１と、小片紙の表現方法を示す表現選択肢が複数含まれる表現パターンを複数有する表現パターンＤＢ２２と、複数の小片紙をグループ分けするためのグルーピング線群が複数描画された場合にグルーピング線群ごとに表現パターンＤＢ２２から異なる表現パターンを読み出して処理を行う処理手段とを備え、処理手段は、各グルーピング線群について行う処理として、各グルーピング線の位置情報を取得し（Ｓ１）、各グルーピング線の位置情報と小片紙管理ＤＢ２１における各小片紙の位置情報を基に、各小片紙につき、当該小片紙を囲むグルーピング線を選択し（Ｓ２）、小片紙管理ＤＢ２１における当該小片紙のレコードに対し、当該グルーピング線に対応するグループＩＤを書き込み（Ｓ２）、小片紙管理ＤＢ２１を基にグループ数を算出し（Ｓ３）、表現パターンＤＢ２２からグループ数以上の表現選択肢を含む表現パターンを選択し（Ｓ４）、各グループＩＤに当該表現パターンの中のいずれかの表現選択肢を重複せずに割り当て（Ｓ５）、描画された各小片紙の表現を当該小片紙が属するグループのグループＩＤに割り当てた表現選択肢に対応するように変更する（Ｓ６）ので、複数の観点でのグルーピングを小片紙に反映させることができる。その結果、グルーピング線を消したり、小片紙の位置を変えたりしても、複数の観点でのグルーピングを認識できる。
【００４３】
［第２実施形態］
第２実施形態に係る関係性提示装置は、グループ数に応じた表現パターンを生成して、小片紙に適用するものである。以下、第１実施形態との差異を中心に説明する。
【００４４】
図８は、第２実施形態に係る関係性提示装置のブロック図である。
【００４５】
記憶装置２０は、小片紙管理ＤＢ２１、関係性提示プログラムＰ’を含む。関係性提示プログラムＰ’が実行されることで、ＣＰＵ１０が取得部１１、記録部１２、表現生成部１３、表現管理部１４、及び出力部１５として処理を実行する。
【００４６】
図９は、図８の関係性提示装置の動作を示すフローチャートである。
【００４７】
図は、１つのグルーピング線群についての処理のフローチャートであり、関係性提示装置は、同様の処理を他のグルーピング線群についても行う。
【００４８】
ステップＳ３までは第１実施形態と同様なので説明を省略する。
【００４９】
（Ｓ１１）表現生成部１３が、ステップＳ３で算出されたグループ数以上の表現選択肢を含む表現パターンを生成する。
【００５０】
図１０は、図８の小片紙管理ＤＢ２１を例示する図である。
【００５１】
第１グループＩＤ欄にグループＩＤ「１」〜「３」が書き込まれており、これによりグループ数は「３」であり、表現生成部１３は、表現選択肢数が３の表現パターンを生成する。
【００５２】
表現生成部１３は、例えば、本例では、小片紙の傾きを変更するための表現パターンを生成する。
【００５３】
（１８０−０）／（３−１）＝９０
より、第１の表現選択肢は０度、第２の表現選択肢は９０度、第３の表現選択肢は２７０度とした。
【００５４】
なお、本例では、傾きを利用したが、最小値と最大値が規定でき、線形的に表現選択肢を算出可能であれば、例えば、小片紙の大きさなどを表現選択肢としてもよい。
【００５５】
（Ｓ５）次に、表現管理部１４は、各グループＩＤに、生成した表現パターンの中のいずれかの表現選択肢を重複せずに割り当てる。
【００５６】
（Ｓ６）次に、出力部１５が、各小片紙の表現を、当該小片紙が属するグループのグループＩＤに割り当てた表現選択肢に対応するように変更し、出力装置４０に出力し、処理を終える。
【００５７】
図１１は、表現変更後の小片紙群とグルーピング線を例示する図である。
【００５８】
右下の小片紙群では、各小片紙が０度回転し、つまり、元のままであり、右上の小片紙群では、各小片紙が９０度時計回りに回転し、左の小片紙群では、各小片紙が２７０度時計回りに回転した状態となっている。
【００５９】
このような１つの観点によるグルーピングに関する処理を他の観点によるグルーピングについても行い、各観点で表現パターンを相違させる（同じ表現パターンは生成しない）ことで、複数の観点のグルーピングを同時に提示できる。
【００６０】
図１２は、複数の観点のグルーピングを同時に提示した場合の表示例を示す図である。
【００６１】
小片紙群を第１の観点で、つまり第１のグルーピング線群Ｄ１、Ｄ１、Ｄ１によりグループ分けし、かつ、小片紙群を第２の観点で、つまり第２のグルーピング線群Ｄ２、Ｄ２、Ｄ２によりグループ分けする。
【００６２】
第１の観点のグルーピングにより、小片紙Ｐ１〜Ｐ３は９０度時計回りに回転し、小片紙Ｐ４〜Ｐ７は２７０度時計回りに回転し、小片紙Ｐ８〜Ｐ１１は０度回転し、つまり、元のままである。
【００６３】
第２の観点のグルーピングにより、小片紙Ｐ１〜Ｐ６、Ｐ９は青、小片紙Ｐ７、Ｐ８は赤、小片紙Ｐ１０、Ｐ１１は緑で表示される。
【００６４】
以上のように、第２実施形態に係る関係性提示装置によれば、描画される複数の小片紙のそれぞれにつき、当該小片紙の位置情報を含むレコードを有する小片紙管理ＤＢ２１と、複数の小片紙をグループ分けするためのグルーピング線群が複数描画された場合にグルーピング線群ごとに異なる表現パターンを生成して処理を行う処理手段とを備え、処理手段は、各グルーピング線群について行う処理として、各グルーピング線の位置情報を取得し（Ｓ１）、各グルーピング線の位置情報と小片紙管理ＤＢ２１における各小片紙の位置情報を基に、各小片紙につき、当該小片紙を囲むグルーピング線を選択し（Ｓ２）、小片紙管理ＤＢ２１における当該小片紙のレコードに対し、当該グルーピング線に対応するグループＩＤを書き込み（Ｓ２）、小片紙管理ＤＢ２１を基にグループ数を算出し（Ｓ３）、グループ数以上の表現選択肢を含む表現パターンを生成し（Ｓ１１）、各グループＩＤに当該表現パターンの中のいずれかの表現選択肢を重複せずに割り当て（Ｓ５）、描画された各小片紙の表現を当該小片紙が属するグループのグループＩＤに割り当てた表現選択肢に対応するように変更する（Ｓ６）ので、複数の観点でのグルーピングを小片紙に反映させることができる。その結果、グルーピング線を消したり、小片紙の位置を変えたりしても、複数の観点でのグルーピングを認識できる。
【００６５】
なお、第２実施形態に係る関係性提示装置において、第１実施形態のように表現パターンＤＢ２２を設け、表現パターンを生成する処理に代えて、表現パターンＤＢ２２からグループ数以上の表現選択肢を含む表現パターンを選択することとしてもよい。なお、表現パターンの選択は、いずれか１つ以上の観点についての処理で行えばよい。
【００６６】
［第３実施形態］
第３実施形態に係る関係性提示装置は、グループに属する小片紙に対しグループに応じたラベルを付与するものである。以下、第１実施形態、第２実施形態との差異を中心に説明する。
【００６７】
図１３は、第３実施形態に係る関係性提示装置のブロック図である。
【００６８】
記憶装置２０は、小片紙管理ＤＢ２１、グループ情報ＤＢ２３、関係性提示プログラムＰ”を含む。関係性提示プログラムＰ”が実行されることで、ＣＰＵ１０が取得部１１、記録部１２、表現生成部１３、表現管理部１４、及び出力部１５として処理を実行する。
【００６９】
図１４は、グループ情報ＤＢ２３を例示する図である。
【００７０】
グループ情報ＤＢ２３には、グループごとのレコードが生成される。各レコードは、該当のグループのグループＩＤ、当該グループに属する小片紙に付与されるラベルを含む。ここでは、ラベル「シニア」、「キッズ」、「主婦」を例示する。
【００７１】
図１５は、図１３の関係性提示装置の動作を示すフローチャートである。
【００７２】
図は、１つのグルーピング線群についての処理のフローチャートであり、関係性提示装置は、同様の処理を他のグルーピング線群についても行う。
【００７３】
ここでは、図１６のように描画された小片紙群に対し、グルーピング線Ｄ１とラベルＬ１が複数組描画されていることとする。
【００７４】
ステップＳ３までは第１実施形態と同様なので説明を省略する。
【００７５】
（Ｓ２１）また、入力装置３０は各ラベルを取得し、取得部１１は入力装置３０から各ラベルを取得し、それぞれの位置情報を取得する。
【００７６】
（Ｓ２２）記録部１２は、各ラベルにつき、ラベルの位置情報とグルーピング線の位置情報を基に、最も近いグルーピング線を選択し、当該ラベルと選択したグルーピング線に対応するグループＩＤを含むレコードをグループ情報ＤＢ２３に生成する。図１２は、この状態を示している。
【００７７】
（Ｓ２３）次に、表現生成部１３が、グループ情報ＤＢ２３を用いて、ステップＳ３で算出されたグループ数を表現できる表現パターンを生成する。
【００７８】
具体的には、表現生成部１３は、グループ情報ＤＢ２３から全てのラベルを読み出し、このラベルを表現選択肢として含み、且つ、グループ数を表現選択肢数として含む表現パターンを生成する。
【００７９】
（Ｓ２４）次に、表現管理部１４は、各グループＩＤに対し、当該グループＩＤを含むグループ情報ＤＢ２３のレコード内の表現選択肢（ラベル）を割り当てる。
【００８０】
（Ｓ２５）次に、出力部１５が、各小片紙の表現を、当該小片紙が属するグループのグループＩＤに割り当てた表現選択肢（ラベル）に対応するように変更し、出力装置４０に出力し、処理を終える。
【００８１】
図１７は、表現変更後の小片紙群とグルーピング線とラベルを例示する図である。
【００８２】
右下の小片紙群では、各小片紙にラベル「シニア」が付与され、右上の小片紙群では、各小片紙にラベル「キッズ」が付与され、右下の小片紙群では、各小片紙にラベル「主婦」が付与される。
【００８３】
このような１つの観点によるグルーピングに関する処理を他の観点によるグルーピングについても行い、各観点で表現パターンを相違させる（同じ表現パターンは生成しない）ことで、複数の観点のグルーピングを同時に提示できる。
【００８４】
図１８は、複数の観点のグルーピングを同時に提示した場合の表示例を示す図である。
【００８５】
小片紙群を第１の観点で、つまり第１のグルーピング線群Ｄ１、Ｄ１、Ｄ１によりグループ分けし、かつ、小片紙群を第２の観点で、つまり第２のグルーピング線群Ｄ２、Ｄ２、Ｄ２によりグループ分けする。
【００８６】
また、各グルーピング線Ｄ１の近傍には、ラベルＬ１（「シニア」、「キッズ」、「主婦」）を描画し、各グルーピング線Ｄ２の近傍には、ラベルＬ２（「神奈川」、「東京」、「千葉」）を描画する。
【００８７】
第１の観点のグルーピングにより、小片紙Ｐ１〜Ｐ３にラベルＬ１「キッズ」が付与され、小片紙Ｐ４〜Ｐ７にはラベルＬ１「シニア」が付与され、小片紙Ｐ８〜Ｐ１１にはラベルＬ１「主婦」が付与される。
【００８８】
第２の観点のグルーピングにより、小片紙Ｐ１、Ｐ４、Ｐ１０にはラベルＬ２「神奈川」が付与され、小片紙Ｐ３〜Ｐ８にはラベルＬ２「東京」が付与され、小片紙Ｐ２、Ｐ９、Ｐ１１にはラベルＬ２「千葉」が付与される。
【００８９】
以上のように、第３実施形態に係る関係性提示装置によれば、描画される複数の小片紙のそれぞれにつき、当該小片紙の位置情報を含むレコードを有する小片紙管理ＤＢ２１と、複数の小片紙をグループ分けしてなる各グループにつき、当該グループのグループＩＤ、当該グループに属する小片紙に付与されるラベルを含むレコードが生成されるグループ情報ＤＢ２３と、複数の小片紙をグループ分けするためのグルーピング線群が複数描画され当該各グルーピング線に対しラベルが組になって描画された場合にグルーピング線群ごとに異なる表現パターンを生成して処理を行う処理手段とを備え、処理手段は、各グルーピング線群について行う処理として、各グルーピング線の位置情報を取得し（Ｓ１）、各グルーピング線の位置情報と小片紙管理ＤＢ２１における各小片紙の位置情報を基に、各小片紙につき、当該小片紙を囲むグルーピング線を選択し（Ｓ２）、小片紙管理ＤＢ２１における当該小片紙のレコードに対し、当該グルーピング線に対応するグループＩＤを書き込み（Ｓ２）、小片紙管理ＤＢ２１を基にグループ数を算出し（Ｓ３）、各グルーピング線とで組をなすラベルの位置情報を取得し（Ｓ２１）、各ラベルにつき、当該ラベルの位置情報とグルーピング線の位置情報を基に、最も近いグルーピング線を選択し、当該ラベルと選択したグルーピング線に対応するグループＩＤを含むレコードをグループ情報ＤＢ２３に生成し（Ｓ２２）、グループ情報ＤＢ２３から全てのラベルを読み出し、当該ラベルを表現選択肢として含む表現パターンを生成し（Ｓ２３）、各グループＩＤに対し当該グループＩＤを含むグループ情報ＤＢ２３のレコード内の表現選択肢を割り当て（Ｓ２４）、描画された各小片紙の表現を当該小片紙が属するグループのグループＩＤに割り当てた表現選択肢に対応するように変更する（Ｓ２５）ので、複数の観点でのグルーピングを小片紙に反映させることができる。その結果、グルーピング線やラベルを消したり、小片紙の位置を変えたりしても、複数の観点でのグルーピングを認識できる。
【００９０】
なお、第３実施形態に係る関係性提示装置において、第１実施形態のように表現パターンＤＢ２２を設け、表現パターンを生成する処理に代えて、表現パターンＤＢ２２からグループ数以上の表現選択肢を含む表現パターンを選択することとしてもよい。なお、表現パターンの選択は、いずれか１つ以上の観点についての処理で行えばよい。
【００９１】
なお、各実施形態の関係性提示装置としてコンピュータを機能させるためのコンピュータプログラム、すなわち、関係性提示プログラムＰ、Ｐ’、Ｐ”は、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００９２】
１０…ＣＰＵ
２０…記憶装置
３０…入力装置
４０…出力装置
２１…小片紙管理ＤＢ
２２…表現パターンＤＢ
２３…グループ情報ＤＢ
１１…取得部
１２…記録部
１３…表現生成部
１４…表現管理部
１５…出力部
Ｄ１、Ｄ２…グルーピング線
Ｌ１、Ｌ２…ラベル
【図１】
2015215717.tif 000003
【図２】
2015215717.tif 000004
【図３】
2015215717.tif 000005
【図４】
2015215717.tif 000006
【図５】
2015215717.tif 000007
【図６】
2015215717.tif 000008
【図７】
2015215717.tif 000009
【図８】
2015215717.tif 000010
【図９】
2015215717.tif 000011
【図１０】
2015215717.tif 000012
【図１１】
2015215717.tif 000013
【図１２】
2015215717.tif 000014
【図１３】
2015215717.tif 000015
【図１４】
2015215717.tif 000016
【図１５】
2015215717.tif 000017
【図１６】
2015215717.tif 000018
【図１７】
2015215717.tif 000019
【図１８】
2015215717.tif 000020